(57)【要約】【課題】  背面投写型映像装置の主要構成部品である投写ユニットと、この投写ユニットの駆動制御する各種の回路基板を組付けたシャーシを共通化し、かつ、シャーシを組付けるベースキャビネットの成形用金型の共通化を図る。【解決手段】  スクリーン７のインチサイズに合わせて大きさの異なる上部キャビネット３を成形する。投写ユニット１５及び制御用の各種基板４０〜４４を固定したシャーシ２５を共通化する。シャーシ２５を組付けるベースキャビネット５を共通する成形用金型で成形し、上部キャビネット３の幅に応じて入れ子型を組み込んでベースキャビネット５の両側に調整部２２を一体形成する。これとともに、バックカバー６の両側に配置する調整部２２ａとベースキャビネット５の前面に固定する化粧パネル２６を別途成形することによって、上部キャビネット３と下部キャビネット４との幅を揃える。【選択図】  図６
2006126436.tif 000002
【特許請求の範囲】
【請求項１】
上下に分割した上部キャビネットと下部キャビネットとで筐体を構成し、前記上部キャビネットに少なくともスクリーンと反射ミラーとを設け、前記下部キャビネットには少なくともランプユニットから投写された光束を画像情報に応じて変調して光学像を形成するとともに、該光学像を拡大投写する投写ユニットと、該投写ユニットを制御する各種制御用基板などの主要構成部品を固定するシャーシを備え、前記上部キャビネットは、前記スクリーンのサイズに応じて外形サイズが異なる複数種の上部キャビネットを用意する一方、前記下部キャビネットは、前記投写ユニットと各種制御用基板などの主要構成部品を組付けたシャーシを固定するベースキャビネットと、このベースキャビネットの前面に固定される化粧パネルと、ベースキャビネットの背面に固定されるバックカバーとで構成し、このバックカバーとベースキャビネットの幅が、最小サイズのスクリーンを装着した上部キャビネットの幅と同幅に設定され、該上部キャビネットの幅の大型化によって生じる上部キャビネットと前記ベースキャビネットとバックカバーとの幅の差を解消する調整部をベースキャビネットとバックカバーとの両側縁に設けたことを特徴とする背面投写型映像装置。
【請求項２】
前記ベースキャビネットを樹脂によって一体成形するとともに、このベースキャビネットを成形する成形用金型を共通化するとともに、前記上部キャビネットの幅に応じて前記成形用金型に組み込んだ入れ子型によって前記ベースキャビネット両側に前記調整部を一体成形して成ることを特徴とする請求項１記載の背面投写型映像装置。
【発明の詳細な説明】
【技術分野】
【０００１】
本発明は、投写ユニットから投写される光学像を反射して筐体の一側面に露出して設けたスクリーンに投影させる背面投写型映像装置、特に、少なくとも投写ユニットと、これを制御する各種制御用基板などの主要構成部品を組み込むベースキャビネットを共通化し、スクリーンのサイズを選択できるように構成したことを特徴とする背面投写型映像装置に関する。
【背景技術】
【０００２】
従来、背面投写型映像装置として特許文献１に記載されたものが知られている。ここで開示されている背面投写型映像装置は、ランプユニットから投写された光束を画像情報に応じて変調して光学像を形成するとともに、該光学像を拡大投写する投写ユニットと、投写画像を反射する反射ミラーと、反射ミラーからは反射した光学像を投影するスクリーンを箱状の筐体に収納し、反射ミラーで反射した光学像をスクリーン上に投影するように構成している。
【０００３】
ところで、この種の背面投写型映像装置の各画面は、複数のインチサイズが存在し、そのインチサイズが変われば、これを収納する筐体のサイズも変わることになる。しかし、スクリーンのサイズに応じて数種の筐体を用意することは、生産性が悪くしかもコスト高となるため、特許文献２には、背面投写型映像装置を上部キャビネットと下部キャビネットとに分割して形成し、上部キャビネットにスクリーン及び反射ミラーを装備し、下部キャビネットに映像機器、駆動及び制御回路、投写レンズを含む投写ユニット及び光源からなる主要構成部品等のテレビとしての主要構成部品を装備し、前記投写レンズのフォーカスを調整することで上部にセットされるスクリーン及びこれを収容する上部キャビネットの大きさを選択できるように構成した背面投写型映像装置が提案されている。また、特許文献３には、下側キャビネットと、前記下側キャビネットに取り付く下側バックカバーと、スピーカ装置と、光学ユニットと、制御回路部とを備えたシャーシ部を構成し、上側キャビネットと、前記上側キャビネットに取り付く上側バックカバーと、スクリーンと、反射ミラーとを備えた投射部を構成し、スクリーンのインチサイズに関係無く、投写ユニットを制御する各種制御用基板などの主要構成部品を固定するシャーシ部を共通することが可能な背面投写型映像装置が提案されている。
【０００４】
【特許文献１】特開２００３−３３７３７７号公報
【特許文献２】特許第３３８１１８１号公報
【特許文献３】特開２００１−５４０３９号公報
【発明の開示】
【発明が解決しようとする課題】
【０００５】
特許文献２に示す背面投写型映像装置は、サイズの異なるスクリーンを備えた複数種の上部キャビネットを用意し、これを下部キャビネットに選択的に組み合わせることで、主要構成部品を固定した下部キャビネットを共通化でき、また、特許文献３では、光学ユニットと、制御回路部とを備えたシャーシ部を共通化できるものの、特許文献２においては、スクリーンのサイズが大型化するのに伴って、これを装備する上部キャビネットの幅も大型化することから、最小サイズのスクリーンを搭載した上部キャビネットの幅に合わせて下部キャビネットの幅を設定した場合、スクリーンのサイズを大型化するのに伴い、下部キャビネットと上部キャビネットの幅が異なることになる。このため、下部キャビネットの両側から上部キャビネットが張り出し、デザイン的に体裁が悪くなる。また、特許文献３においては、シャーシ部及びシャーシ部に装着した投写ユニットを含む主要構成部品を共通化できるが、これを組み込む下側キャビネットを共通化することができないため、各インチサイズ毎に下側キャビネットを製造する必要があり、部品の互換性が低いことから製造コストも高くなるという課題を有している。
【０００６】
本発明は上記課題を解決するものであり、部品の共通化によるコストの削減を図るとともに、インチサイズが大型化しても下部キャビネットと上部キャビネットとの幅を揃えてデザイン性を向上することが可能な背面投写型映像装置を提供することを目的とする。
【課題を解決するための手段】
【０００７】
請求項１に係る背面投写型映像装置は、上下に分割した上部キャビネットと下部キャビネットとで筐体を構成し、前記上部キャビネットに少なくともスクリーンと反射ミラーとを設け、前記下部キャビネットには少なくともランプユニットから投写された光束を画像情報に応じて変調して光学像を形成するとともに、該光学像を拡大投写する投写ユニットと、該投写ユニットを制御する各種制御用基板などの主要構成部品を固定するシャーシを備え、前記上部キャビネットは、前記スクリーンのサイズに応じて外形サイズが異なる複数種の上部キャビネットを用意する一方、前記下部キャビネットは、前記投写ユニットと各種制御用基板などの主要構成部品を組付けたシャーシを固定するベースキャビネットと、このベースキャビネットの前面に固定される化粧パネルと、ベースキャビネットの背面に固定されるバックカバーとで構成し、このバックカバーとベースキャビネットの幅が、最小サイズのスクリーンを装着した上部キャビネットの幅と同幅に設定され、該上部キャビネットの幅の大型化によって生じる上部キャビネットと前記ベースキャビネットとバックカバーとの幅の差を解消する調整部をベースキャビネットとバックカバーとの両側縁に設けたことを特徴とする背面投写型映像装置。
【０００８】
請求項１の構成により、ベースキャビネットに固定したシャーシに背面投写型映像装置の主要構成部品を装備し、上部キャビネットにはスクリーン及び反射ミラーを装備することによって、背面投写型映像装置の主要構成部品及びこれを取り付けたシャーシと、これを組付けるベースキャビネットはスクリーンのインチサイズに関係無く共通したものを使用でき、スクリーンとこれを組み付けた上部キャビネットと反射ミラーは任意のインチサイズに適用できるので、多種類に渡るインチサイズの背面投写型映像装置を簡単に製造可能となる。また、ベースキャビネットとバックカバーとの幅の差を解消する調整部をベースキャビネットとバックカバーとの両側縁に設けたことにより、下部キャビネットと上部キャビネットとが同幅となり、デザイン的に下部キャビネットと上部キャビネットとが連続し、外観的にも体裁が良く、デザイン性に優れた背面投写型映像装置となる。
【０００９】
請求項２に係る背面投写型映像装置は、請求項１記載の背面投写型映像装置において、前記ベースキャビネットを樹脂によって一体成形するとともに、このベースキャビネットを成形する成形用金型を共通化するとともに、前記上部キャビネットの幅に応じて前記成形用金型に組み込んだ入れ子型によって前記ベースキャビネット両側に前記調整部を一体成形して成ることを特徴とする。
【００１０】
請求項２の構成により、ベースキャビネットを成形する成形金型を共通化できるとともに、その共通の成形用金型に入れ子型を組み込んでベースキャビネット両側に調整部を一体成形することによって、下部キャビネットと上部キャビネットとの幅を揃えることが可能となる。
【発明の効果】
【００１１】
請求項１に係る背面投写型映像装置によれば、上下に分割した上部キャビネットと下部キャビネットとで筐体を構成し、前記上部キャビネットに少なくともスクリーンと反射ミラーとを設け、前記下部キャビネットには少なくともランプユニットから投写された光束を画像情報に応じて変調して光学像を形成するとともに、該光学像を拡大投写する投写ユニットと、該投写ユニットを制御する各種制御用基板などの主要構成部品を固定するシャーシを備え、前記上部キャビネットは、前記スクリーンのサイズに応じて外形サイズが異なる複数種の上部キャビネットを用意する一方、前記下部キャビネットは、前記投写ユニットと各種制御用基板などの主要構成部品を組付けたシャーシを固定するベースキャビネットと、このベースキャビネットの前面に固定される化粧パネルと、ベースキャビネットの背面に固定されるバックカバーとで構成し、このバックカバーとベースキャビネットの幅が、最小サイズのスクリーンを装着した上部キャビネットの幅と同幅に設定され、該上部キャビネットの幅の大型化によって生じる上部キャビネットと前記ベースキャビネットとバックカバーとの幅の差を解消する調整部をベースキャビネットとバックカバーとの両側縁に設けたものであるから、インチサイズに関係無く、投写ユニットを制御する各種制御用基板などの主要構成部品を固定するシャーシを共通化でき、部品の共通化により、製造コストを削減できるとともに、調整部によってサイズが異なる上部キャビネットと下部キャビネットとの幅を揃えることが可能となるから、上部キャビネットと下部キャビネットとが連続し、外観的にも体裁の良い背面投写型映像装置を製造することができる。
【００１２】
請求項２に係る背面投写型映像装置によれば、請求項１記載の背面投写型映像装置において、前記ベースキャビネットを樹脂によって一体成形するとともに、このベースキャビネットを成形する成形用金型を共通化するとともに、前記上部キャビネットの幅に応じて前記成形用金型に組み込んだ入れ子型によって前記ベースキャビネット両側に前記調整部を一体成形して成るものであるから、ベースキャビネットを成形する成形用金型を共通化することにより、製造コストをより一層、削減することができるとともに、入れ子型によってベースキャビネットの両側に一体成形する調整部によってサイズが異なる上部キャビネットと下部キャビネットとの幅を揃えることが可能となるから、上部キャビネットと下部キャビネットとが連続し、外観的にも体裁の良い背面投写型映像装置を製造することができる。
【発明を実施するための最良の形態】
【００１３】
以下、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００１４】
図１は、本発明に係る背面投写型映像装置の概略構成を示す正面図、図２は組付け状態を側面から見た分解図である。図３は、最小のベースキャビネットを示し、図３（ａ）は平面図、図３（ｂ）は正面図を示し、図４は、上部キャビネットの幅に合わせてベースキャビネットの幅を調整する説明図であり、図４（ａ）は平面図、図４（ｂ）は正面図を示し、図５は、ベースキャビネットの両側に調整部を形成した説明図であり、図５（ａ）は平面図、図５（ｂ）は正面図を示し、図６は、バックカバー及び別途調整部の分解状態を示す平面図、図７は、ベースキャビネットの組付状態を示す平面図を示している。
【００１５】
同図を参照して背面投写型映像装置１の主な構成について説明する。背面投写型映像装置１の筐体２は、上下に分離可能な上部キャビネット３と、下部キャビネット４とから構成され、これら上部キャビネット３と下部キャビネット４とは、それぞれが独立しており、下部キャビネット４の上部に上部キャビネット３が組み付けられる。
【００１６】
上部キャビネット３は、フロントキャビネット３ａとバックキャビネット３ｂとで構成されている。フロントキャビネット３ａは前面側に表示窓７ａを有する枠状に形成され、表示窓７ａの内側にスクリーン７を固定している。一方、バックキャビネット３ｂは、底板部３ｃと背面板部３ｄと左右側板部３ｅを有して前面を開口した箱状に形成され、その開口部分に前記スクリーン７を固定したフロントキャビネット３ａを組付けるとともに、背面板部３ｄの内面に形成する取付部８に反射ミラー９が取り付けられる。また、バックキャビネット３ｂの背面板部３ｄは全体として傾斜しており、前面側に取り付けられたスクリーン７と後述する投写レンズによる映像の反射との位置関係を考慮して、予め計算された傾斜角度をもって設定されており、その傾斜した背面板部３ｄの内側に前記反射ミラー９の取付部８が形成されている。
【００１７】
下部キャビネット４は、底板部４ａと前面板部４ｂと左右側板部４ｃと上板部４ｄとを有して背面部を開口したほぼ箱型のベースキャビネット５と、そのベースキャビネット５の開口部を塞ぐバックカバー６とで構成され、そのベースキャビネット５の内部に背面投写型映像装置１の投写ユニット１５を収容している。また、ベースキャビネット５の前面板部４ｂの両側にはスピーカ１０が組み付けられており、このスピーカー１0は、前面板部４ｂの前面に固定した化粧パネル２６によって全面的に覆われて目隠しされており、この化粧パネル２６には各種の操作部が設けられ、各種の操作が手動あるいはリモートコントロールによる操作を行えるようにしてある。また、投写ユニット１５を収容する下部キャビネット４の上板部４ｄ上には、前記スクリーン７及び反射ミラー９を組付けた上部キャビネット３が載置され、これら下部キャビネット４の上部キャビネット３との重ね合わせ面となる上板部４ｄと底板部３ｃにはそれぞれ投写ユニット１５を挿通する開口部１１が形成されている。
【００１８】
前記投写ユニット１５は、光源となるハロゲンランプやメタルハイランドランプなどの高輝度ランプ１６を備えたランプユニット１７を備え、ランプ１６から照射された光束を光学的に処理して画像情報に対応した光学像を形成し、この光学像を拡大して投写するユニットである。また、投写ユニット１５のケーシング１８には、投写レンズ１９が固定され、そのケーシング１８内には、ランプ１６からの光を略平行光にするリレーレンズ、リレーレンズを透過した光を透過光と反射光に分割する偏光ビームスプリッター、偏光ビームスプリッターで反射、透過した光を変調し映像光とする反射型液晶パネルからなる偏光変換素子などの構成部品が一体的に固定されてユニット化されており、偏光変換素子によって変調された映像光がケーシング１８の上面に組み込まれた前記投写レンズ１９によって前記反射ミラー９に投写される。また、ケーシング１８とランプユニット１７とを一体的に連結させ、このように一体的にユニット化された投写ユニット１５と、この投写ユニット１５を駆動制御するドライバ回路基板１５ａとを金属製の支持フレーム２０によって一体化している。
【００１９】
また、前記下部キャビネット４の内底部にはシャーシ２５が固定され、このシャーシ２５上に前記投写ユニット１５を含む背面投写型映像装置１の駆動及びこれらの制御するための各種基板が固定されている。
【００２０】
図６及び図７で示すように、スクリーン７を前面側とした場合、投写ユニット１５の図示左側には電源回路基板４０と、アナログ信号処理基板４１が前後に並設され、これら電源回路基板４０及びアナログ信号処理基板４１と前記投写ユニット１５との間にデジタル回路基板４２が配置されている。また、投写ユニット１５の背面側にはスケーラー回路基板４３が配置され、ランプユニット１７側となる投写ユニット１５の図示右側には、ランプ駆動回路基板４４が下部キャビネット４の背面側に配置されている。
【００２１】
前記電源回路基板４０はランプ駆動回路基板４４や各部信号系及び制御用マイコン（図示せず）に電源を供給している。前記アナログ信号処理基板４１には、アナログチューナ４５、入出力端子４６が実装され、アナログチューナ４５から入力されたアナログ信号を入出力端子４６から外部機器に出力するとともに、入出力端子４６から入力されたアナログ信号をスケーラー回路基板４３に出力する。また、アナログ信号処理基板４１には音声多重信号やサラウンド信号を生成するためのオーディオブロックを備え、音声信号などのアナログ信号を処理する。デジタル回路基板４２は、デジタルチューナー、デジタルチューナー入力回路及びデジタル信号をアナログ信号に変換するＤ／Ａコンバータ（図示せず）を備え、前記アナログ信号処理基板４１及びスケーラー回路基板４３にデジタル信号を送信する。スケーラー回路基板４３はアナログ信号処理基板４１から送られる信号に基づいて所定の表示形式（解像度）に変換し、主にスクリーン７に表示するための処理を行う。また、スケーラー回路基板４３はビデオデコーダ回路（図示せず）を備え、圧縮された入力信号をデコードする機能を有している。ランプ駆動回路基板４４は前記電源回路基板４０から供給された電圧を制御し、ランプ１６を点灯させるための高電圧（約１０００Ｖ）を発生させてドライバ回路基板１５ａに出力するトランスを備えたランプ制御用の基板であり、ドライバ回路基板１５ａは、ランプ駆動回路基板４４から出力された電圧に基づいてランプ１６のオン・オフ、表示画面のホワイトバランスやブライト等の明るさなどを制御する投写ユニット１５の制御用基板である。また、前記デジタル回路基板４２とスケーラー回路基板４３及び前記ドライバ回路基板１５ａは金属製のシールドケース５０、５１、５２によって周囲を覆われている。これらのシールドケース５０、５１、５２は電磁ノイズの漏れを防止する機能を有している。なお、デジタル回路基板４２とスケーラー回路基板４３のシールドケース５０、５１はドライバ回路基板１５ａの直交する二辺、本実施例では、デジタル回路基板４２のシールドケース５０がドライバ回路基板１５ａの左側縁、スケーラー回路基板４３のシールドケース５１がドライバ回路基板１５ａの後端縁に沿って立設されている。また、ドライバ回路基板１５ａの左側縁に沿って立設されたデジタル回路基板４２のシールドケース５０は、電源回路基板４０、アナログ信号処理基板４１とドライバ回路基板１５ａとの間に介在してこれら電源回路基板４０、アナログ信号処理基板４１とドライバ回路基板１５ａとを仕切るように立設され、かつ、ドライバ回路基板１５ａの後端縁に沿って立設されたスケーラー回路基板４３のシールドケース５１は、投写ユニット１５を固定する支持フレーム２０の立ち上がり部２０ｂと対向して投写ユニット１５と下部キャビネット４の背面板６との間に立設され、これらシールドケース５０，５１と支持フレーム２０の立ち上がり部２０ｂによってドライバ回路基板１５ａが三方を囲まれる。このように、ドライバ回路基板１５ａの三方を各シールドケース５０，５１と支持フレーム２０の立ち上がり部２０ｂとで囲むことによって、ドライバ回路基板１５ａへのノイズの混入を抑制するようにしている。
【００２２】
このように、シャーシ２５には背面投写型映像装置１の主要構成部品が固定され、また、投写ユニット１５と、この投写ユニット１５のドライバ回路基板１５ａとを固定してユニット化する前記支持フレーム２０は底板部２０ａと、この底板部２０ａの一側から立ち上がり部２０ｂを立設して全体としてほぼＬ型に形成され、その立ち上がり部２０ｂに前記ランプユニット１７を一体化した投写ユニット１５のケーシング１８をねじ止めしている。また、底板部２０ａには前記ドライバ回路基板１５ａを固定する取付片３０を切り起し形成し、この取付片３０にほぼ水平に載置したドライバ回路基板１５ａをねじ止めしている。このようにして、投写ユニット１５及びドライバ回路基板１５ａを固定した支持フレーム２０は、前記シャーシ２５の底部及び下部キャビネット４の前面板部４ｂに一体形成するボス部３１にねじ止めされている。また、支持フレーム２０に固定される投写ユニット１５は、反射ミラー９から反射される光学像の光路に掛からない範囲で底板部２０ａから浮かせるように、立ち上がり部２０ｂの上部に固定され、その投写ユニット１５と底板部２０ａとの間にドライバ回路基板１５ａを固定している。
【００２３】
前述したように、投写ユニット１５は、支持フレーム２０の立ち上がり部２０ｂに固定され、立ち上がり部２０ｂの角度によって反射ミラー９への入射角が決定され、その立ち上がり部２０ｂの角度と上部キャビネット３に取り付けられる反射ミラー９の角度を変えることによって、上部キャビネット３の画面サイズを任意に選択することが可能である。
【００２４】
すなわち、投写ユニット１５を含む背面投写型映像装置１の駆動及びこれらの制御するための各種基板４０〜４４が固定されるシャーシ２５を共通化し、そのベースキャビネット５にサイズが異なるスクリーン７を組み込んだ上部キャビネット３を選択的に組付ける。例えば、４２インチ、５２インチ、６２インチのスクリーン７を上部キャビネット３に選択的に組み込み、その上部キャビネット３をベースキャビネット５上に組付けるだけで背面投写型映像装置１の主要部、本実施例では投写ユニット１５含む背面投写型映像装置１の駆動及びこれらの制御するための各種基板４０〜４４を固定したシャーシ２５を共通化している。この場合、上部キャビネット３は、この上部キャビネット３に組み込むスクリーン７のサイズが大型化するのに伴い、上部キャビネット３の大きさも大型化するが、その上部キャビネット３を組付ける下部キャビネット４のベースキャビネット５は、大型化する上部キャビネット３の横幅に対応して、ベースキャビネット５の両側に調整部２２を成形して、上下の組付ける上部キャビネット３とベースキャビネット５との幅を調整するようにしいる。この調整部２２は、ベースキャビネット５の成形用金型に着脱自在に装着される入れ子型（図示せず）によって成形することで、基本となるベースキャビネット５の成形用金型を共通化している。すなわち、最もサイズの大きい６２インチのスクリーン７を組み込んだ上部キャビネット３を載置するベースキャビネット５の成形用金型を基準とし、５２インチ、４２インチと小型化するのに伴い、サイズを調整する５２インチ、４２インチ用の入れ子型を成形用金型に組み込み、この入れ子型によって、図４の一点鎖線で示すように、ベースキャビネット５の前面板部４ｂの両側に形成する調整部２２の長さを調整するとともに、ベースキャビネット５の背面に固定されるバックカバー６の両側に、５２インチ、６２インチ用の上部キャビネット３の幅に合わせて別途調整部２２ａを成形し、これをベースキャビネット５にねじ止めしている。また、ベースキャビネット５の前面に組付ける化粧パネル２６も上部キャビネット３の幅に合わせて専用の化粧パネル２６を成形する。
【００２５】
なお、スクリーン７のインチサイズに合わせて反射ミラー９へ入射する投写ユニット１５の角度、上部キャビネット３に取り付ける反射ミラー９の角度が設定されている。すなわち、反射ミラー９の取付角度に合わせた取付部８を有するバックキャビネット３ｂをスクリーン７のサイズに応じて種々用意するとともに、各スクリーン７のサイズに対応して予め立ち上がり部２０ｂの角度を設定した支持フレーム２０を種々用意し、スクリーン７のインチサイズに合わせて、バックキャビネット３ｂの取付部８に反射ミラー９を固定するとともに、支持フレーム２０の立ち上がり部２０ｂに投写ユニット１５を固定している。
【００２６】
このように、投写ユニット１５含む背面投写型映像装置１の駆動及びこれらの制御するための各種基板４０〜４４を固定したシャーシ２５を共通化することによって背面投写型映像装置１の製造コストを削減できるとともに、部品管理も容易となり、インチサイズの異なる背面投写型映像装置１を簡単に製造することが可能となる。さらに、上部キャビネット３の幅が大型化するのに伴い、ベースキャビネット５を成形する成形用金型に組み込む入れ子型を組み変えることでベースキャビネット５の成形用金型を共通化することができ、背面投写型映像装置１の製造コストをより削減することが可能となる。しかも、上部キャビネット３の幅が大型化するのに伴い、上部キャビネット３を載置する下部キャビネット４と上部キャビネット３との幅とに差が生じることになるが、これをベースキャビネット５を成形する成形用金型に組み込む入れ子型を組み変えることによって、ベースキャビネット５の両側に形成する調整部２２の長さ調整を行うとともに、バックカバー６の両側に上部キャビネット３の幅に合わせて別途調整部２２ａを組み付け、さらに、各上部キャビネット３の幅に応じた化粧パネル２６を別途成形することによって、上部キャビネット３と下部キャビネット４との幅を揃えることが可能となる。これにより、上部キャビネット３の幅が変わっても上部キャビネット３と下部キャビネット４とが連続して統一的なデザインとすることができるから、外観的にも体裁がよく、デザイン性に優れた背面投写型映像装置１を製造することが可能となる。
【００２７】
以上のように、投写ユニット１５を含む背面投写型映像装置１の駆動及びこれらの制御するための各種基板４０〜４４が固定されるシャーシ２５及びベースキャビネット５を成形する成形用金型を共通化し、サイズが異なるスクリーン７を組み込んだ上部キャビネット３を選択的に組付ける。例えば、スクリーン７のサイズとして４２インチ、５２インチ、６２インチのいずれにも適用することができ、上部キャビネット３を替えるだけで背面投写型映像装置１の主要部、本実施例では投写ユニット１５含む背面投写型映像装置１の駆動及びこれらの制御するための各種基板４０〜４４を固定したシャーシ２５を共通化できるとともに、ベースキャビネット５を成形する成形用金型の共通化によって背面投写型映像装置１の製造コストを削減でき、部品管理も容易となり、インチサイズの異なる背面投写型映像装置１を簡単に製造することが可能となる。さらに、成形用金型に組み込む入れ子型を選択してベースキャビネット５の両側の調整部２２でベースキャビネット５の幅を調整するとともに、バックカバー６の両側には、それぞれ上部キャビネット３の幅に応じた調整部２２ａと化粧パネル２６を別途成形することによって、上部キャビネット３と下部キャビネット４との幅を揃えることが可能となり、外観的にも体裁がよく、デザイン性に優れた背面投写型映像装置１を製造することが可能となる。
【００２８】
以上、本発明の実施例について詳述したが、本発明は前記実施例に限定されるものではなく、本発明の要旨の範囲内で種々の変形実施が可能である。例えば、キャビネットや各構成部品の形状及び取付構造なども前記実施例に限定されるものではなく、適宜選定すればよい。また、前記実施例では、入れ子型によってベースキャビネット５の両側に調整部２２を一体成形した例を示したが、これを別途成形し、ベースキャビネット５の両側に固定するように構成してもよい。
【図面の簡単な説明】
【００２９】
【図１】本実施例に係る背面投写型映像装置の概略構成を示す正面図である。
【図２】同上、組付け状態を側面から見た分解部である。
【図３】同上、最小のベースキャビネットを示し、図３（ａ）は平面図、図３（ｂ）は正面図を示している。
【図４】同上、上部キャビネットの幅に合わせてベースキャビネットの幅を調整する説明図であり、図４（ａ）は平面図、図４（ｂ）は正面図を示している。
【図５】同上、ベースキャビネットの両側に調整部を形成した説明図であり、図５（ａ）は平面図、図５（ｂ）は正面図を示している。
【図６】同上、バックカバー及び別途調整部の分解状態を示す平面図である。
【図７】同上、ベースキャビネットの組付状態を示す平面図である。
【符号の説明】
【００３０】
１  背面投写型映像装置
２  筐体
３  上部キャビネット
４  下部キャビネット
５  ベースキャビネット
７  スクリーン
９  反射ミラー
１５  投写ユニット
１５ａ  ドライバ回路基板
１６  ランプ
１７  ランプユニット
１８  ケーシング
２０  支持フレーム
２２，２２ａ  調整部
２５  シャーシ
４０  電源回路基板
４１  アナログ信号処理基板
４２  デジタル回路基板
４３  スケーラー回路基板
４４  ランプ駆動回路基板
【図１】
2006126436.tif 000003
【図２】
2006126436.tif 000004
【図３】
2006126436.tif 000005
【図４】
2006126436.tif 000006
【図５】
2006126436.tif 000007
【図６】
2006126436.tif 000008
【図７】
2006126436.tif 000009